(57)【要約】  本発明は、マガジン（１）内に直立状態で並べられ、１縁部分をマガジン（１）の底部（３）に支えられて列すなわち並びとして配置され、また、個別に排出するために出口端部のストップ（６）へ向けてマガジン（１）を通して前進駆動されるように配置されたパッケージ・ブランク（２）を送る方法に関するものである。これは、ブランクの列すなわち並びが２つの圧力区画、すなわちそれらの圧力区画の間の区画境界からストップまで延在して、隣接するブランク（２）の間に第１の相互圧力を与える第１前部圧力区画、および隣接するブランク（２）の間に第２の相互圧力を与える後部第２圧力区画（１３）に分けられることと、前記第１の相互圧力が前記第２の相互圧力よりも高いことをふくむ。本発明はまたこの方法を実施する装置にも関する。
2008519740.tif 000002
【特許請求の範囲】
【請求項１】
マガジン（１）内に直立状態で並べられ、１縁部分をマガジン（１）の底部（３）に支えられて列すなわち並びとして配置され、また、個別に排出するために出口端部のストップ（６）へ向けてマガジン（１）を通して前進駆動されるように配置されたパッケージ・ブランク（２）を送る方法であって、ブランク（２）の列すなわち並びが２つの圧力区画、すなわちそれらの圧力区画の間の区画境界からストップまで延在して、隣接するブランク（２）の間に第１の相互圧力を与える第１前部圧力区画と、隣接するブランク（２）の間に第２の相互圧力を与える後部第２圧力区画（１３）とに分けられること、および前記第１の相互圧力が前記第２の相互圧力よりも高いことを特徴とする方法。
【請求項２】
速い周速度（ｖ１）を有する手段（４）が区画境界において反対両方向からブランク（２）の列すなわち並びに対して局部的に与えられることを特徴とする請求項１に記載された方法。
【請求項３】
ブランク（２）と接触する手段（４）の周速度（ｖ１）は、ブランクをマガジン（１）の排出すなわち出口端部へ向けて駆動する方向に向けられ、マガジン（１）の関連する排出速度として要求されたブランクの送り速度（ｖＭ）よりも速いことを特徴とする請求項２に記載された方法。
【請求項４】
マガジン（１）内に直立状態で並べられ、１縁部分をマガジンの底部（３）に支えられてブランク（２）の列すなわち並びとして配置され、また、個別に排出するために出口端部のストップ（６）へ向けてマガジン（１）を通して前進駆動されるように配置されたパッケージ・ブランク（２）を送る装置であって、列すなわち並びの各側にて出口端部に関連して、マガジン（１）内に配置されている複数のブランク（２）と接触する摩擦手段（４）が配置されていること、および、それぞれ接触する摩擦手段（４）が出口端部へ向かう方向に周速度（ｖ１）を有し、この速度はマガジン（１）の適切な送出し速度として要求されたブランクの送り速度（ｖＭ）よりも速いことを特徴とする装置。
【請求項５】
摩擦手段（４）がブランク（２）と接触する可撓性突起を備えていることを特徴とする請求項４に記載された装置。
【請求項６】
摩擦手段（４）の可撓性突起が、ブランク（２）の送り方向に対して、また、マガジン（１）の底部（３）に対して直角に配置された回転軸線を有する回転中央シャフトによって支持されることを特徴とする請求項５に記載された装置。
【請求項７】
摩擦手段（４）がブランク（２）と接触する毛を備えたことを特徴とする請求項４から請求項６までのいずれか一項に記載されたことを特徴とする装置。
【請求項８】
摩擦手段（４）が回転して形成されるブラシを有することを特徴とする請求項７に記載された装置。
【発明の詳細な説明】
【技術分野】
【０００１】
本発明は、マガジン内に直立状態で並べられ、１つの縁部の側面をマガジン底部に支えられて配置されたパッケージ・ブランクを送る方法および装置に関するものである。
【背景技術】
【０００２】
積層されているか否かに拘わらずに例えばカートンのような平坦に折曲げられたパッケージ・ブランクを立上げて充填を行うために、充填機へ自動給送する装置はこの技術分野で既に知られている。そのような装置の１つは、パッケージ・ブランクのマガジンと、マガジンからそれらのブランクを一枚ずつ個別に排出する送出し装置とを備えている。
【０００３】
マガジンは、通常、マガジンを通してブランクを送出し装置へ給送するためにブランクを一列すなわち並べた状態で収容する通路を備えている。この通路はブランクを支持する底部と、通路側方を定めてブランクをガイドする側壁と、マガジンから排出する送出し装置によりグリップできる位置となるようにマガジン内の最初のブランクが押し当てられる前部ストップと、後方からマガジン内の最後のブランクに力を加えることでマガジン内の最初のブランクをストップに押し当てるキャリヤとを備えている。
【０００４】
上述形式のマガジンでは、マガジンを通る移動においてブランクの滑らかで一定した送りを実現することが望ましい。これは、これまでは、マガジン底部とその底部に支えられるブランク部分との間に生じる摩擦を最小限に抑えるためにさまざまな対策を講じて実現されてきた。
【０００５】
この技術分野で提案されてきた他の対策は、キャリヤを経てマガジン内の最後のブランクに作用する力、すなわちマガジン内の他の全てのブランクを経て力が伝達されて最終的にマガジン内の最初のブランクをストップに押し当てる力を調整する制御装置を備えることであった。この力は、マガジンが満杯のときは大きく、マガジン内のブランクが少量になるほど小さくなることを提案された。
【０００６】
ブランクがマガジンを通して送られるときに考慮すべき他の現象は、いわゆるスプリング・バック（弾性戻り）効果である。これは、平坦に折曲げられた折重ね／平坦ブランクが平衡状態となるように弾性的に戻ろうとするときに生じ、例えば準備された制御状態を無視するように送り力に影響を及ぼす。
【発明の開示】
【発明が解決しようとする課題】
【０００７】
本発明の目的は、マガジンを通してマガジン出口端部に位置するストップへ向けたパッケージ・ブランクの確実な送りを実現させることである。
【課題を解決するための手段】
【０００８】
この目的は、マガジン内に直立状態で並べられ、それぞれの下縁部分をマガジン底部に支えられて連続して配置され、また、個別に排出するために出口端部のストップへ向けてマガジンを通して前進駆動されるように配置されたパッケージ・ブランクを送る、特許請求の範囲の独立項に記載された特徴を備えた方法および装置によって達成される。
【０００９】
一実施例において、この方法は、ブランクの列すなわち並びを２つの圧力区画、すなわちそれらの圧力区画の間の区画境界からストップまで延在して、隣接するブランクの間に第１の相互圧力を与える第１前部圧力区画、および隣接するブランクの間に第２の相互圧力を与える後部第２圧力区画に分ける段階と、前記第１の相互圧力が前記第２の相互圧力よりも高いことを含む。
【００１０】
他の実施例において、前記前部圧力区画に比較的高い圧力を形成するために、高い周速度を有する装置が区画境界にて反対両方向から局部的にブランクに作用されることができる。
【００１１】
さらに他の実施例において、ブランクに接触するこの装置の周速度は、ブランクをマガジン出口端部へ向けて駆動する方向に向けられ、また、適切なマガジンからの排出速度として要求されるブランクの送り速度よりも速い。
【００１２】
本発明による装置は、ブランク列の各側において排出端部に関連して、マガジン内に配置された複数ブランクに接触して配置される摩擦手段を与える。この摩擦手段は、それぞれの接触において、適切な排出速度として要求されるブランクの送り速度よりも速い周速度を出口端部へ向かって与える。このようにして、ブランク列の残部における支配的な圧力に比較して相対的に高い圧力の区画が摩擦手段およびストップの間に形成される。この場合、その区画は、前記ストップに対する最前ブランクの配置状態を修正するための動的圧力適応区画として説明される。
【００１３】
さらに、その他の実施例において、摩擦手段は、ブランクと摩擦接触するように配置された可撓性突起を備えることができる。
【００１４】
摩擦手段のこの可撓性突起は、一実施例において、ブランクの送り方向に対して、またマガジンの底部に対して回転軸線が直角である回転中央シャフトによって支持できる。
【００１５】
他の実施例において、摩擦手段はブランクと接触する毛を備えることができる。
【００１６】
例として、この摩擦手段は、例えばシャフトやシリンダなどの回転コア、またはウェブ状ベルトまたは同様キャリヤから突出した長短のプラスチック製突起を有する回転して形成されるブラシを備えることができる。
【００１７】
ここに挙げた以外の他の構造および詳細な解決策も、各個の特別な例において本発明を実施するために論議される。
【００１８】
本発明の一実施例が添付図面を参照して以下に非常に詳細に説明される。図面では、同じまたは同様な部分は同じ符号を付されている。
【実施例１】
【００１９】
図１を参照すれば、同図は、１つの縁部がマガジンの底部３に支えられて並べられ、主面が互いに接触している並びすなわち列として直立状態で配置された平坦に折曲げられたパッケージ・ブランク２を有するマガジン１の一例を示している。
【００２０】
ブランク２は、反対両側に配置されてそのブランク２と摩擦係合する２つの回転ブラシ４によって、マガジン１の前端部を通して前進駆動される。
【００２１】
マガジン１の後部から回転ブラシ４に２個の新しいブランク２を供給するために押圧器またはキャリヤ５が備えられており、このキャリヤ５は、生じ得るマガジン１に抗するあらゆる摩擦力に打ち勝ってブラシ４へブランク２を連続して供給することを保証するために、押圧力Ｆ１を後方からマガジン１内の最後方ブランク２に加える。
【００２２】
マガジン１を通るブランク２の送りは、その目的として、マガジン１内の最前方ブランクをストップ６に押圧し、その後に適当な送出し装置７によってブランクがマガジン１から排出されるための位置に整列させることである。さらに、この目的は、殺菌のブランクが排出された後に次のブランクをその位置に配置させることである。
【００２３】
送出し装置７は、通常、何れかの形態のキャリヤを備えており、このキャリヤは排出位置にあるブランク（最前方ブランク）と係合して、そのブランクをマガジン１から送出す。図１に示された例では、これは２個のスプロケット・ホイールの回りで駆動される無端チェーン９に配置されているキャリヤ８で示されている。キャリヤ８は、排出位置に位置された（ストップ６に当てて配置された）ブランクの１端部と係合して、排出間隙１０を通してそのブランクを横方向へ移動させるように配置される。ブランクが間隙１０を通過すると、そのブランクは２個の給送ホイール１１の間に把持される。給送ホイール１１はそのブランクを、例えば立上げ、充填およびシールを行う包装機械へ向けてさらに移動させる。
【００２４】
マガジン１からの排出をどのように行うかという技術的な解決策は、技術に詳しい本明細書の読者には明白であるので、ここでは詳細に説明しない。しかしながら、ほとんど全ての送出し装置に共通した特徴は、マガジン１から排出される番となるブランク２が毎回予測できる所定位置に位置決めされるということである。
【００２５】
マガジン１の前部区画内に、ブランク列における並びの各側で互いに整合させて回転ブラシ４を配置することにより、ブラシ４とストップ６との間には限られた個数のブランク２が位置され、ブラシ４よりも前方に位置するそれらのブランクは（第１圧力区画１２内）、ブランク２の側部間にてさらに自己調整して一様に分布された高い圧力によって動的に作動され、これによって、マガジン１内の先行側の位置から生じ得るあらゆる圧力変動を均して、先頭のブランクがストップ６の接触位置に正しく当接することを保証する位置となされるであろう。
【００２６】
前部圧力区画１２内のブランクが少な過ぎると過度状態を形成して不安定を招くのに対して、慣性を有するブランクが多すぎると、前部圧力区画１２内の列における並びの動的配向および修正は行われない。
【００２７】
ブラシ半径の選定も、ストップ６にどれほど近づけるかというブラシ４を配置できる機械的な限界を設定する。
【００２８】
一実施例において、数十個のブランク２がブラシ４の中心よりも前方に配置でき、後部区画１３内のブランクの個数はそれほど重要でない。図１に示された実施例においては、前部圧力区画１２内に約５０個のブランクが置かれる。
【００２９】
前部圧力区画１２を形成することにより、従来技術のマガジンでストップ６に対する前部ブランクの接触点の間にしばしば生じる圧力変動は処理し、対処できる。これらの圧力変動は、通常、ブランクが常には完全に平坦ではなく、その範囲内で厚さの変動を有する（例えば、折曲げまたは接合のため）という事実の結果として生じる。ブランクは並んで同様に配向されるので、ブランクの両側面間の厚さの変動は並んだブランクの個数につき加算され、その並びはずれを生じて弧状を形成する。
【００３０】
後部キャリヤ５によってブランク２の送りを行うだけの同様形式の従来のマガジンと比較すれば、キャリヤ５がマガジン１内の最後のブランクに加える力は、非常に小さい。キャリヤ５は排出されるブランクをストップ６の当接位置に当接させ、整列させることに直接には関与せず、単にブランクをブラシ４の届く位置へ送るだけである。
【００３１】
これはまた、本発明の一実施例によるマガジンが補充することができ（マガジンの後部区画に）、これにおいてキャリヤ５は後退されて新しいブランク２が追加され、その間ブラシ４は継続して、前部圧力区画１２内のブランク２が相互圧力を保持することを保証し、また、最前ブランクの送りおよび排出位置への位置決めを保証する。この補充に当てることのできる時間は、一方においてはマガジン１からの送出し速度に依存し、また他方においてはパッケージ厚さおよびブラシ４が同時に接触することのできるブランク２の個数に依存する。ブラシ４がブランクの送り速度ｖＭよりも速い周速度ｖ１を有する場合、マガジン１が再び新しいブランク２を供給するときに、ブラシ４は補充時にマガジン１に形成された間隙を再設定して満たすことができる。
【００３２】
この実施例における幾つかの重要な点は、先頭のブランクとストップ６との間にできるだけ良好な接触を得るために、ブランクの両外側面に圧力が一様に分布されることである。特に両側に分布されると、通過においてブランクは間隙１０を通して排出され、他側に与えられれば、キャリヤはこのブランクとだけ係合される。
【００３３】
前部区画１２にガイド形状部が形成され、マガジン１の底部３と接触していないブランク２を上から押下げることが有利である。このガイドは揺動または振動されるスライド面であることが有利である。
【００３４】
マガジン１の側壁は回転ブラシ４のための開口を備えることができる。
【００３５】
マガジン１の側壁は垂直方向に限られた範囲内で、ブランクにアクセスできるように設計できる。例えば、側壁はロッド形状とされて、その場合、ブラシ４は幾つかの部分に分割されるが、同じ回転軸線の回りに駆動されてロッド形状の側壁のそれぞれ下方または上方に作用する。
【００３６】
図示実施例では、ブラシは８０ｍｍの直径を有する。
【００３７】
ブラシ４は、圧力上昇を達成できるブランクの列すなわち並びに対する接触領域を有する。そのために、圧力上昇が起こらないならば、その列すなわち並びにおいて後方に位置するブランクはストップまでの全行程のガイド／配向に影響を及ぼす。換言すれば、後方からの圧力は前部圧力区画１２内の圧力（ブラシ４が発生する圧力）と同程度に大きいならば、圧力上昇が生じることはなく、したがって先頭ブランクがストップ６に対して完全に押圧されて正確に配向されることはできない。
【００３８】
図１に示された実施例において、ブラシ４はブランク２を前部圧力区画１２へ向けて進める（ｐｉｃｋｉｎｇ  ｏｒ  ｒｉｆｆｌｉｎｇ）ための摩擦手段の例として使用された。摩擦手段の他の例には、弾性突起、例えばごむフィンガー、インペラ式ブレードなどが含まれ、これらは列すなわち並びにおける幾つかのブランクとの摩擦接触を形成し、また、適当な駆動手段、例えば使用された駆動シャフト、ベルト、リンク・アームなどで駆動される。
【００３９】
本発明は、上述で説明し、図面に示されたものに制限されると考えるべきではなく、多くの変更例が特許請求の範囲に記載された範囲から逸脱することなく考えられる。
【図面の簡単な説明】
【００４０】
【図１】図１は本発明を具現化する装置を備えたマガジンの一実施例を概略的に示している。
【符号の説明】
【００４１】
１  マガジン
２  ブランク
３  底部
４  ブラシ
５  キャリヤ
６  ストップ
７  送出し装置
８  キャリヤ
９  無端チェーン
１０  排出間隙
１１  給送ホイール
１２  前部圧力区画
１３  後部区画
【図１】
2008519740.tif 000003
【国際調査報告】
2008519740.tif 000004
2008519740.tif 000005
2008519740.tif 000006
2008519740.tif 000007